(57)【要約】【課題】吸磁力を利用して壁面装着体を壁面に強固に固定したり移動可能状態に切替えることができ、また、壁面に対する装着位置を自由に選択できたり、装着位置を簡単に移動させることができ、また、壁面も全く損傷させることがない壁面装着体用固定状態切替えシステムを提供すること。【解決手段】壁面装着体３の壁面１に対する装着状態を固定または移動可能に切替える壁面装着体用固定状態切替えシステムにおいて、前記壁面１に強磁性体部材２を設置し、吸磁力の大きさを変化させて前記強磁性体部材２の表面に着脱自在に取付けられる磁力固定部材５を前記壁面装着体３に対して別体または一体に設けたことを特徴とする。【選択図】  図１
2011172635.tif 000002
【特許請求の範囲】
【請求項１】
壁面装着体の壁面に対する装着状態を固定または移動可能に切替える壁面装着体用固定状態切替えシステムにおいて、前記壁面に強磁性体部材を設置し、吸磁力の大きさを変化させて前記強磁性体部材の表面に着脱自在に取付けられる磁力固定部材を前記壁面装着体に対して別体または一体に設けたことを特徴とする壁面装着体用固定状態切替えシステム。
【請求項２】
前記強磁性体部材は、薄鋼板により形成されていることを特徴とする請求項１に記載の壁面装着体用固定状態切替えシステム。
【請求項３】
前記磁力固定部材は、吸磁力を有する永久磁石と、前記永久磁石による吸磁力を変更させる吸磁力変更部材とを有することを特徴とする請求項１または２に記載の壁面装着体用固定状態切替えシステム。
【請求項４】
前記壁面装着体は、別体の前記壁面装着体に着脱自在に取付られるように形成されていることを特徴とする請求項１乃至３のいずれか１項に記載の壁面装着体用固定状態切替えシステム。
【請求項５】
前記壁面装着体は、床に設置されるとともに一体に設けられている磁力固定部材により壁面に固着されるように形成されていることを特徴とする請求項１乃至４のいずれか１項に記載の壁面装着体用固定状態切替えシステム。
【発明の詳細な説明】
【技術分野】
【０００１】
本発明は壁面装着体用固定状態切替システムに係り、特に壁面装着体の壁面に対する固定状態を切替えるのに好適な壁面装着体用固定状態切替えシステムに関する。
【背景技術】
【０００２】
本明細書において壁面装着体としては、壁面に取付けられるものを意味する。従来から壁面装着体としては、例えば、薄型の壁掛けテレビや、一輪挿し用の花瓶、絵画等の装飾品や、姿見用の鏡、箪笥等の家具や、店舗若しくはイベント会場における展示品が知られている。
【０００３】
このような壁面装着体を壁面に取付けるためには、壁面にフック等の吊下げ手段を釘、止めねじ、ボルト・ナット、接着等の固定手段によって固着し、その吊下げ手段に壁面装着体を吊下げて装着している（例えば、特許文献１、図３参照）。
【０００４】
また、箪笥等の床に設置される家具等については、箪笥の上面と天井面との間に棒状の転倒防止具を展張する（例えば、特許文献２参照）とともに、箪笥と壁面との間を固定ステー等の連結手段によって連結固定している。
【先行技術文献】
【特許文献】
【０００５】
【特許文献１】特開２００３−２６３１１６号公報
【特許文献２】特開平０８−２５２１３９号公報
【発明の概要】
【発明が解決しようとする課題】
【０００６】
前記従来の壁面装着体においては、フック等の吊下げ手段や固定ステー等の連結手段を壁面に固定する場合に、壁面に穴を開けたり接着剤を塗布するために壁面が傷つき、模様替え等のために壁面装着体の装着位置を変えると、その傷が露出して壁面の美観を損ねるという不都合があった。
【０００７】
また、釘や止めねじを用いる場合には、壁面の素材が薄かったり石膏ボードのように剛性が低い場合には、壁面の奥側に補強板等がある位置にしか装着できないこととなり、装着位置を自由に設定することができないという不都合があった。
【０００８】
本発明は、これらの問題点に鑑みてなされたものであり、吸磁力を利用して壁面装着体を壁面に強固に固定したり移動可能状態に切替えることができ、また、壁面に対する装着位置を自由に選択できたり、装着位置を簡単に移動させることができ、また、壁面も全く損傷させることがない壁面装着体用固定状態切替えシステムを提供することを目的とする。
【課題を解決するための手段】
【０００９】
前記目的を達成するために、本発明の第１の態様の壁面装着体用固定状態切替えシステムは、壁面装着体の壁面に対する装着状態を固定または移動可能に切替える壁面装着体用固定状態切替えシステムにおいて、前記壁面に強磁性体部材を設置し、吸磁力の大きさを変化させて前記強磁性体部材の表面に着脱自在に取付けられる磁力固定部材を前記壁面装着体に対して別体または一体に設けたことを特徴とする。
【００１０】
このような構成の本発明によれば、壁面を形成する強磁性体部材に磁力固定部材の吸磁力を変化させて着脱させることにより壁面装着体の壁面に対する装着状態を固定または移動可能に切替えることができる。また、磁力固定部材の吸磁力をもって壁面を形成する強磁性体部材に強固に固定することができるので、壁面装着体を簡単かつ確実に壁面に装着することができる。また、磁力固定部材の吸磁力を弱く変化させることにより壁面装着体を壁面に対して移動自在とさせることができ、装着位置の移動も容易に行うことができる。また、壁面に対して従来のような損傷を与えることを確実に防止することができる。
【００１１】
また、本発明の第２の態様の壁面装着体用固定状態切替えシステムは、前記強磁性体部材が薄鋼板により形成されていることを特徴とする。
【００１２】
このような構成の本発明によれば、強磁性体部材が薄鋼板であるために、壁面に設置容易であり、しかも既設の壁面にも簡単に設置することができる。
【００１３】
また、本発明の第３の態様の壁面装着体用固定状態切替えシステムは、前記磁力固定部材が吸磁力を有する永久磁石と、前記永久磁石による吸磁力を変更させる吸磁力変更部材とを有する。
【００１４】
このような構成の本発明によれば、吸磁力変更部材を操作することにより永久磁石による吸磁力を変更させることができ、壁面を形成する強磁性体部材に対して磁力固定部材を容易に着脱させることができ、作業時間を短縮させることができる。
【００１５】
また、本発明の第４の態様の壁面装着体用固定状態切替えシステムは、前記壁面装着体が別体の前記壁面装着体に着脱自在に取付られるように形成されていることを特徴とする。
【００１６】
このような構成の本発明によれば、壁面装着体と別体の磁力固定部材に壁面装着体を着脱自在に取付けることにより壁面に対して装着したり取り外すことができる。これにより既存の壁面装着体に全く手を加えることなく本発明を適用することができ、汎用性に優れたものとなる。具体的には、壁面装着体と別体の磁力固定部材の吸磁力を変化させて壁面を形成する強磁性体部材に着脱させることにより、磁力固定部材ひいては壁面装着体の壁面に対する装着状態を固定または移動可能に切替えることができる。また、磁力固定部材の吸磁力をもって壁面を形成する強磁性体部材に強固に固定することができるので、壁面装着体の落下も確実に防止することができる。また、磁力固定部材の吸磁力を弱く変化させることにより壁面装着体を壁面に対して移動自在とさせることができ、移動も容易に行うことができる。
【００１７】
また、本発明の第５の態様の壁面装着体用固定状態切替えシステムは、前記壁面装着体が床に設置されるとともに一体に設けられている磁力固定部材により壁面に固着されるように形成されていることを特徴とする。
【００１８】
このような構成の本発明によれば、壁面装着体に一体に設けられている磁力固定部材をもって壁面装着体の壁面に対する装着状態を装着状態を固定または移動可能に切替えることができる。その装着状態を固定とすることにより壁面装着体の転倒を確実に防止することができる。
【発明の効果】
【００１９】
本発明によれば、吸磁力を利用して壁面装着体を壁面に強固に固定したり移動可能状態に切替えることができ、また、壁面に対する装着位置を自由に選択できたり、装着位置を簡単に移動させることができ、また、壁面も全く損傷させることがない壁面装着体用固定状態切替えシステムを提供することができる。
【図面の簡単な説明】
【００２０】
【図１】本発明の壁面装着体用固定状態切替えシステムの第１実施形態を示す斜視図
【図２】図１の一部縦断拡大側面図
【図３】本発明の壁面装着体用固定状態切替えシステムの第２実施形態を示す図２と同様の一部縦断拡大正面図
【図４】本発明の壁面装着体用固定状態切替えシステムの第３実施形態を示す側面図
【発明を実施するための形態】
【００２１】
以下、本発明の実施の形態を図１から図４について、詳細に説明する。
【００２２】
図１および図２は本発明の壁面装着体用固定状態切替えシステムの第１実施形態を示す。
【００２３】
本実施形態の壁面装着体用固定状態切替えシステムは、壁面１に対して壁面装着体３として薄型の壁掛けテレビ４を設置する例を示している。この壁掛けテレビ４は壁面１に対する装着状態を固定または移動可能に切替え自在に形成されている。
【００２４】
更に説明すると、壁面１の表面側の全面に強磁性体部材としての薄鋼板２が接着若しくは鋲止め等の固着方法によって壁面１と一体となるように形成されている。薄鋼板２の表面には後述する磁力固定部材５の吸磁力を阻害しない程度の壁面を装飾する樹脂層（有機樹脂、有機樹脂フィルム、無機物、あるいはこれらを組み合わせたもの）、印刷層等の被覆等が施されていてもよい。薄鋼板２の板厚については、５０μｍ〜１０００μｍの範囲から壁掛けテレビ４の重量、吸磁力の大きさ等に応じて選択するとよい。また、薄鋼板２の設置領域は壁面１の全体とする他に、予め設計された磁力固定部材５の位置変更位置に合わせた壁面１の一部分としても良い。更に、薄鋼板２に代えて壁面１を形成する柱や梁材等の鋼材としても良い。
【００２５】
本実施形態の壁掛けテレビ４は、別体に形成されている磁力固定部材５により壁面１に装着されるように形成されている。この磁力固定部材５は吸磁力の大きさを変化させて強磁性体部材である薄鋼板２に着脱自在に取付けられるように形成されている。この磁力固定部材５としては、例えば特開２０００−１１４０３２号公報等に開始されている公知の構成の装置を用いるとよい。具体的には、磁力固定部材５の外ケース６の内部に永久磁石７が内蔵されており、レバー８ａをもって回転させられて永久磁石７による吸磁力をオン・オフに変更させる吸磁力変更部材８を主たる構成要素として形成されているとよい。その吸磁力の大きさは、壁掛けテレビ４を平常時や地震時に壁面２より落下しない大きさに設定するとよい。磁力固定部材５の外ケース６の正面にはフック９が突設されており、壁掛けテレビ４の上部に形成されている吊下げ具４ａを掛けて壁掛けテレビ４を吊下げるようにされている。
【００２６】
次に、本実施形態の作用を説明する。
【００２７】
本実施形態の壁面装着体用固定状態切替えシステムにおいて壁面装着体３としての壁掛けテレビ４を設置するには、予め床に強磁性体部材である薄鋼板２を壁面１を形成する部材として固着させておく。強磁性体部材が薄鋼板２であるために、壁面１に設置容易であり、しかも既設の壁面にも簡単に設置することができる。
【００２８】
そして、本実施形態の壁掛けテレビ４を壁面１に設置するには、設置位置に磁力固定部材５を定位させ、その後に磁力固定部材５の吸磁力変更部材８のレバー８ａをオフからオンに切り換えて永久磁石７の吸磁力を最大に変更して磁力固定部材５を薄鋼板２に吸磁力によって固着させる。本実施形態においては２個の磁力固定部材５を固定させる。この場合、２個の磁力固定部材５で壁掛けテレビ４を固定させたが、これ以上の数の磁力固定部材５で壁掛けテレビ４を固定しても良く、適宜磁力固定部材５の数を決めればよい。
次に、壁掛けテレビ４の各吊下げ具４ａを各磁力固定部材５の各フック９に掛けて壁掛けテレビ４を吊下げる。このように磁力固定部材５の吸磁力をもって壁面１を形成する強磁性体部材である薄鋼板２に磁力固定部材５を強固に固定することができ、その磁力固定部材５に壁掛けテレビ４を吊下げて壁面１に装着することができるので、壁面装着体３である壁掛けテレビ４を簡単かつ確実に壁面１に装着することができる。また、壁面１に対して磁力固定部材５を吸磁力をもって固着するので、壁面１に対して従来のような損傷を与えることを確実に防止することができる。
【００２９】
また、部屋や展示状態の模様替え等の目的に応じて壁掛けテレビ４の装着位置を変える場合には、壁掛けテレビ４を磁力固定部材５から取り外した後に、吸磁力変更部材８のレバー８ａをオンからオフに切り換えて永久磁石７の吸磁力を最小に変更して、磁力固定部材５を新しい装着場所に移動させて前記と同様の装着作業によって再装着する。このように磁力固定部材５の吸磁力を弱く変化させることにより壁面装着体である壁掛けテレビ４を壁面１に対して移動自在とさせることができ、移動も容易に行うことができる。
【００３０】
本実施形態の壁面装着体用固定状態切替えシステムによれば、壁面１を形成する強磁性体部材の薄鋼板２に磁力固定部材５の吸磁力を変化させて着脱させることにより壁面装着体３である壁掛けテレビ４の壁面１に対する装着状態を固定または移動可能に容易に切替えることができる。
【００３１】
また、吸磁力変更部材８を操作することにより永久磁石７による吸磁力を変化させることができ、壁面１を形成する強磁性体部材である薄鋼板２に対して磁力固定部材５を容易に着脱させることができ、作業時間を短縮させることができる。
【００３２】
壁掛けテレビ４に設けられている既設の吊下げ具４ａに対応して磁力固定部材５のフック９の形状等を設定することにより、既存の壁面装着体３である壁掛けテレビ４に全く手を加えることなく本発明を適用することができ、汎用性に優れたものとなる。
【００３３】
次に、本発明の第２実施形態を図３により説明する。
【００３４】
本実施形態の壁面装着体用固定状態切替えシステムは、壁面装着体３として実施形態１の壁掛けテレビ４に代えて一輪挿し等の花瓶１０を用いたものである。この花瓶１０の壁面１側には強磁性体である鋼板１１が固着されており、この鋼板１１を磁力固定部材５に対して吸磁力をもって装着するようにしている。その他の構成は第１実施形態と同一であり、同一符号を付して説明を省略する。
【００３５】
次に、本実施形態の作用を説明する。
【００３６】
本実施形態においては、磁力固定部材５の吸磁力変更部材８のレバー８ａをオン・オフ切り換えて永久磁石７の吸磁力を最大・最小に変更して、花瓶１０と磁力固定部材５とを同時に薄鋼板２に吸着・非吸着とさせて、花瓶１０の壁面１に対する装着状態を固定または移動可能に容易に切替える。
【００３７】
前記永久磁石７および吸磁力変更部材８の組合せは、磁力固定部材５を薄鋼板２に吸磁着させる組と、花瓶１０を磁力固定部材５に吸磁着させる組と別々に設けて、それぞれの吸磁着を別工程で実行できるように形成してもよい。
【００３８】
次に、本発明の第３実施形態を図４により説明する。
【００３９】
本実施形態の壁面装着体用固定状態切替えシステムは、壁面装着体３として実施形態１の壁掛けテレビ４に代えて床１２に設置される箪笥１３を壁面１に固定状態にして装着する場合を示したものである。
【００４０】
具体的には、箪笥１３の壁面１および薄鋼板２に対面する部分である裏面上部に磁力固定部材５を一体に設けて形成したものである。その他の構成は第１実施形態と同一であり、同一符号を付して説明を省略する。
【００４１】
次に、本実施形態の作用を説明する。
【００４２】
本実施形態の箪笥１３を壁面１に固定するには、箪笥１３を床１２の所望の設置位置に定位させるとともに裏面を薄鋼板２に密着させる。次に、磁力固定部材５の吸磁力変更部材８のレバー８ａをオフからオンに切り換えて永久磁石７の吸磁力を最大に変更して磁力固定部材５を薄鋼板２に吸磁力によって固着させる。これにより磁力固定部材５の吸磁力をもって壁面１を形成する強磁性体部材である薄鋼板２に磁力固定部材５を強固に固定することができ、その磁力固定部材５と箪笥１３とが一体であるので、壁面装着体３である箪笥１３を簡単かつ確実に壁面１に固定状態に装着することができる。これにより箪笥１３の転倒を確実に防止することができる。
【００４３】
また、部屋や展示状態の模様替え等の目的に応じて箪笥１３の装着位置を変える場合には、吸磁力変更部材８のレバー８ａをオンからオフに切り換えて永久磁石７の吸磁力を最小に変更して、箪笥１３を新しい装着場所に移動させて前記と同様の装着作業によって再装着する。このように磁力固定部材５の吸磁力を弱く変化させることにより壁面装着体である箪笥１３を壁面１に対して移動自在とさせることができ、移動も容易に行うことができる。
【００４４】
なお、本発明は前記実施形態のみに限定されるものではなく、必要に応じて変更することができるものである。例えば、壁面１をアート壁面とし、アート素材を前記第１実施形態または第２実施形態のようにして壁面１に着脱させてアートを作成してもよい。
【符号の説明】
【００４５】
１  壁面
２  薄鋼板
３  壁面装着体
４  壁掛けテレビ
５  磁力固定部材
７  永久磁石
８  吸磁力変更部材
１０  花瓶
１３  箪笥
【図１】
2011172635.tif 000003
【図２】
2011172635.tif 000004
【図３】
2011172635.tif 000005
【図４】
2011172635.tif 000006